(57)【要約】      （修正有）【課題】単体で動作する、高額紙幣対応台間メダル貸し機を提供する。【解決手段】デポジット『預かり金』機能により、頻繁な入金動作を不要にする。【選択図】図１
2007111463.tif 000002
【特許請求の範囲】
【請求項１】
紙幣払い出し機を有するメダル貸し機にあって、デポジット（預かり金）機能を有する高額紙幣対応メダル貸し機。
〔その他〕
〔発明の名称〕台間メダル貸し式。
〔特許請求の範囲〕
【発明の詳細な説明】
【技術分野】
【０００１】スロットマシン等を配備したパチンコホールに於いては、  遊戯機の間に千円紙幣等の紙幣を投入する事により、所定の遊戯用メダル枚数を、自動的に貸し出すようにした、遊戯機台間メダル貸し機が配置されている。
本発明はこれの改良に関する。
【背景技術】
【０００２】遊戯客はスロットマシンにてゲームするためには、媒体となる、所定のメダルをメダル貸し機より借り受けて、ゲームする。
現在通常の、ホールに於いては千円紙幣投入に対し、２０枚のメダルを貸し出すようにされた、メダル貸し機を設置している。
処が遊戯客はアタリが出ずにこの２０枚を使いきってしまった後に遊戯を継続するには、さらに千円紙幣を挿入し再度メダルを借り受けなければならない。と言う遊戯以外の手数を必要とする。
本機はこの煩雑な手数を省略し、客側の利便性を高め、合わせてホール側の稼動を高めるのを目的としている。【０００３】現在この稼動を高めるために、千円以上の高額紙幣が使用できるようにするたのシステムがある。
これは店舗内に、新たに入金機を設置しこれにて、遊戯客が投入した金額をＩＣカード、ＩＣコインなどのメディアに書き込み、この入金額を書き込まれたメディアを専用メダル貸し機に挿入しゲームをし、最終的に終了する場合は，該メディアを精算機に挿入し、残高を現金にて払いだすように構成されている。これは店内全遊技機台、入金機、清算機をホールコンピュターにネットワーク接続してなるシステムである。【０００４】ホール側からして見ると、該システムはホール内全体のネットワークに及ぶため、このためのシステム設置費、およびシステム使用料等の出費が膨大となるため、導入しにくい。
【発明の開示】
【発明が解決しようとする課題】
【０００５】一方ホール内の各島毎に分散設置された、遊戯機は、夫々のメーカーに特徴があり、小額でも当たりの出やすい、機種などが混在する。
それらの機械の台間メダル貸し機は、従来からの、千円紙幣専用機の機能でも賄える。【０００６】即ち本発明は、この島毎の機種に適応し簡単に単体で設置できる高額紙幣対応メダル貸し機に関する。
【課題を解決するための手段】
【０００７】第１図、及び第２図を基に以下本機の構成を示す。
以下図番号▲１▼は釣銭用千円紙幣を内臓させた，小型紙幣払い出し機特許登録『ｈ１１−３５３５３２』号等である。
▲２▼は１万円、５千円、２千円、千円の紙幣を識別する紙幣識別機である。
▲３▼は表示部で第２図  ３ａ（貸し出しボタン、）３ｂ（清算ボタン），３ｃ（エラーコード表示部），３ｄ（残金表示部），にて構成される。
▲６▼はメダルホッパーである。
▲７▼は払出ノズルである。
▲８▼はメダル補給口である。
▲９▼はＭＰＵ制御機である。【０００８】以下動作を説明する。
先ず例として、遊戯客が１万円投入すると，千円分のメダル（２０枚）が貸し出され３ｄの残金表示器が９千円を表示する。遊戯客がゲームに当たりが出ずに２０枚を使い切ってしまい、更にゲームを継続するには、３ａ（貸し出しボタン、）を押すと新たに千円分２０枚のコインが貸し出され、３ｄ（残金表示）が千円分減算され８千円を、表示する、架かる動作にて継続し、その後当たりが出てゲームを終了する時は，清算ボタン３ｂを押すと残金が、▲１▼の払出機にて、直接千円紙幣にて払出され終了する。預かり金機能。（デポジット機能）。
この間のデポジット機能の管理、表示、は▲９▼のＭＰＵ制御基盤が制御する。
又３ｃのエラーコード表示部は万一動作中に何らかの障害が発生した折にエラーの内容を解析できるように，履歴等をコード表示する他、払い出し枚数を表示するものである。
【発明の効果】
【０００９】此の様に単体で作動する本機は、入金機、清算機などの補助機が不要であるし、ホールコンピュターなどのネットワークが不要な点。と共に各島の遊技機の特性、稼動に合わせて、ローコストの千円紙幣専用機と、高機能の本機とを自由に選択配置することができる。
即ち、千円紙幣専用機と同じ外形寸法で、構成されているので、自由に配置変更もできる。【００１０】本構成はスロット機のみでなく、広くパチンコ機、その他のゲーム機に応用する事ができる。
【発明の実施するための最良の形態】
【００１１】本機は大型店より、寧ろ比較的小型店にメリットがある。
【符号の説明】
【００１２】▲１▼は紙幣払い出し機。
▲２▼は多金種紙幣識別機。
▲３▼は表示部。
▲３▼ａは貸し出しボタン。
▲３▼ｂは清算ボタン。
▲３▼ｃはエラーコード表示部。
▲３▼ｄは残金表示部。
▲６▼メダルホッパー。
▲７▼ノズル。
▲８▼メダル補給口。
▲９▼ＭＰＵ制御基盤。
【図１】
2007111463.tif 000003
【図２】
2007111463.tif 000004
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
高額通貨識別機、及び通貨払出し機を有する遊技媒体貸し機に於いて、投入される金額を、一時預かり（デポジット機能）これを担保に、この一時預かり金額内にて、払出ボタンを操作する毎に、一定数の遊戯媒体を払い出し、残高に関しては、精算ボタンの操作により，通貨払出し機より全残高を清算払出してなる、遊戯媒体貸し機。
【手続補正２】
【補正対象書類名】明細書
【補正対象項目名】全文
【補正方法】変更
【補正の内容】
【発明の詳細な説明】
【技術分野】
【０００１】スロットマシン等を配備したパチンコホールに於いては、遊戯機の間に千円紙幣等の紙幣を投入する事により、所定の遊戯用メダル枚数を、自動的に貸し出すようにした、遊戯機台間メダル貸し機が配置されている。本発明はこれの改良に関する。
【背景技術】
【０００２】遊戯客はスロットマシンにてゲームするためには、媒体となる、所定のメダルをメダル貸し機より借り受けて、ゲームする。現在通常の、ホールに於いては千円紙幣投入に対し、２０枚のメダルを貸し出すようにされた、メダル貸し機を設置している。処が遊戯客はアタリが出ずにこの２０枚を使いきってしまった後に遊戯を継続するには、さらに千円紙幣を挿入し再度メダルを借り受けなければならない。と言う遊戯以外の手数を必要とする。本機はこの煩雑な手数を省略し、客側の利便性を高め、合わせてホール側の稼動を高めるのを目的としている。【０００３】現在この稼動を高めるために、千円以上の高額紙幣が使用できるようにするたのシステムがある。これは店舗内に、新たに入金機を設置しこれにて、遊戯客が投入した金額をＩＣカード、ＩＣコインなどのメディアに書き込み、この入金額を書き込まれたメディアを専用メダル貸し機に挿入しゲームをし、最終的に終了する場合は，該メディアを精算機に挿入し、残高を現金にて払いだすように構成されている。これは店内全遊技機台、入金機、清算機をホールコンピュターにネットワーク接続してなるシステムである。【０００４】ホール側からして見ると、該システムはホール内全体のネットワークに及ぶため、このためのシステム設置費、およびシステム使用料等の出費が膨大となるため、導入しにくい。又遊戯客側からすると、入金機設置場所に赴き、金額をメディアに書きこんだり、終了時には清算機設置場所に赴き金額清算をしたりの手数を要する。
【発明の開示】
【発明が解決しようとする課題】
【０００５】一方ホール内の各島毎に分散設置された遊戯機は、夫々のメーカーに特徴があり、小額でもアタリの出やすい、機種などが混在する。それらの機械の台間メダル貸し機は、従来からの、千円紙幣専用機の機能でも賄える。【０００６】即ち本発明は、この島毎の機種に適応し簡単に単体で設置できる高額紙幣対応メダル貸し機に関する。
【課題を解決するための手段】
【０００７】第１図、及び第２図を基に以下本機の構成を示す。以下図番号▲１▼は釣銭用千円紙幣を内臓させた，小型紙幣払い出し機特許登録『平１１−３５３５３２』号等である。▲２▼は１万円、５千円、２千円、千円の紙幣を識別する紙幣識別機である。▲３▼は表示部で第２図  ３ａ（貸し出しボタン、）３ｂ（清算ボタン），３ｃ（エラーコード表示部），３ｄ（残金表示部），にて構成される。▲６▼はメダルホッパーである。▲７▼はメダル払出ノズルである。▲８▼はメダル補給口である。▲９▼はＭＰＵ制御機である。【０００８】以下動作を説明する。先ず例として、遊戯客が１万円投入すると，千円分のメダル（２０枚）が▲７▼メダル払い出しノズルより貸し出され３ｄの残金表示器が９千円を表示する（デポジット機能）。遊戯客がゲームに当たりが出ずに２０枚を使い切ってしまい、更にゲームを継続するには、３ａ（貸し出しボタン、）を押すと新たに千円分２０枚のコインが貸し出され、３ｄ（残金表示）が千円分減算され８千円を、表示する、架かる動作にて継続し、その後当たりが出てゲームを終了する時は，清算ボタン３ｂを押すと残金が、▲１▼の払出機にて、直接千円紙幣にて払出され終了する。この間の管理、表示、は▲９▼のＭＰＵ制御基盤が制御する。又３ｃのエラーコード表示部は万一動作中に何らかの障害が発生した折にエラーの内容を解析できるように，履歴等をコード表示するものである。
【発明の効果】
【０００９】此の様に単体で作動する本機は、入金機、清算機などの補助機が不要であるし、ホールコンピュターなどのネットワークが不要な点。と共に各島の遊技機の特性、稼動に合わせて、ローコストの千円紙幣紙幣専用機と、高機能の本機とを自由に選択配置することができる。【００１０】本構成はスロット機のみでなく、広くパチンコ機、その他のゲーム機に応用する事ができる。
【発明の実施するための最良の形態】
【００１１】本機は、高稼働機の島単位で設置できるので、大型店より寧ろ比較的小型店にメリットがある。
【図面の簡単な説明】【図１】本発明メダル貸し機の斜視図である。
【図２】本発明メダル貸し機の表示部である。
【符号の説明】
【００１２】▲１▼は払い出し機。▲２▼は多金種紙幣識別機。▲３▼は表示部。▲３▼ａは貸し出しボタン。▲３▼ｂは清算ボタン。▲３▼ｃはエラーコード表示部。▲３▼ｄは残金表示部。▲６▼メダルホッパー。▲７▼メダル払出ノズル。▲８▼メダル補給口。▲９▼ＭＰＵ制御基盤。